(57)【要約】【課題】骨材による前中心近傍の違和感を軽減する。【解決手段】ブラジャー１は、バストを被覆する一対のカップ部２と、一対のカップ部２の下側に設けられ、前中心側の上端が着用者を押圧しないように、カップ部２の前中心側上端近傍よりも低い高さ位置まで設けられる骨材Ｗと、骨材Ｗの前中心側の上端が上方に移動して着用者を押圧しないように、骨材Ｗの移動を規制する骨材規制部Ｐと、非伸縮ないし難伸縮部材で形成され、カップ部２の前中心側の上端近傍から骨材Ｗの上端の高さ位置において、一対のカップ部２の前中心側を接続する伸び止め部８を備える。【選択図】      図１
2018178295.tif 000002
【特許請求の範囲】
【請求項１】
バストを被覆するカップ部を有する衣類であって、
バストを被覆する一対のカップ部と、
前記一対のカップ部の下側に設けられ、前中心側の上端が着用者を押圧しないように、前記カップ部の前中心側上端近傍よりも低い高さ位置まで設けられる骨材と、
前記骨材の前中心側の上端が上方に移動して着用者を押圧しないように、前記骨材の移動を規制する骨材規制部と、
非伸縮ないし難伸縮部材で形成され、前記カップ部の前中心側の上端近傍から前記骨材の上端の高さ位置において、前記一対のカップ部の前中心側を接続する伸び止め部
を備えることを特徴とするカップ部を有する衣類。
【請求項２】
前記伸び止め部は、前記骨材の上端の高さ位置よりも低い位置まで設けられ、
前記骨材の一部と前記伸び止め部の一部は、高さ方向において重複して配設される
ことを特徴とする請求項１に記載のカップ部を有する衣類。
【請求項３】
前記骨材の前中心側の上端が、バストトップと前記カップ部の下端の長さの２０％の長さ以上、バストトップの高さ位置から低い位置になるように、前記骨材規制部は、前記骨材の位置を規制する
ことを特徴とする請求項１または２に記載のカップ部を有する衣類。
【請求項４】
前記骨材規制部は、前記カップ部の前中心側の上端よりも、１センチ以上低い高さ位置に、前記骨材の上端が位置するように規制する
ことを特徴とする請求項１または２に記載のカップ部を有する衣類。
【請求項５】
前記カップ部の下側で前記骨材を収容し、前記カップ部の前中心側上端近傍の高さ位置まで延伸するカップ支持部をさらに有し、
前記骨材規制部は、前記カップ支持部の短手方向を遮ることにより、前記骨材が所定位置よりも上方へ移動しないように規制する
ことを特徴とする請求項１ないし４のいずれか１項に記載のカップ部を有する衣類。
【発明の詳細な説明】
【技術分野】
【０００１】
本発明は、バストを被覆するカップ部を有する衣類に関する。
【背景技術】
【０００２】
従来、バストの保形性を担保するために、骨材を設けたブラジャーが普及している。骨材は、ワイヤーとも称され、その剛性により、バストを支えてバストの形状を補正する。一般的なブラジャーにおいて骨材は、カップ部の前中心側の上端まで骨材が延伸して配設されることにより、バストのバージスラインに沿う。骨材は、バストを、脇側、下側、および前中心側の約１８０度の方向から支え、バストを支えたり、バストの横流れを防止したりする。
【０００３】
また、表裏のカップ用クッション材、骨材および伸び止めが、一体に形成されるブラジャーが開示されている（特許文献１参照）。
【先行技術文献】
【特許文献】
【０００４】
【特許文献１】実用新案登録第３１１１７５４号
【発明の概要】
【発明が解決しようとする課題】
【０００５】
特許文献１に記載されたブラジャーなどの一般的なブラジャーにおいて骨材は、カップ部の前中心側の上端まで骨材が延伸して配設される。従って、上半身の体の動きなどによっては、骨材が、カップ部の前中心側の上端を押して上半身に食い込み、着用者は、骨材が上半身に刺さるような違和感を覚える場合がある。特に骨材入りのブラジャーを付け慣れていない女性は、このような違和感を覚える場合が多い。
【０００６】
従って本発明の目的は、骨材による前中心近傍の違和感を軽減するブラジャーを提供することである。
【課題を解決するための手段】
【０００７】
上記課題を解決するために、本発明の特徴は、バストを被覆するカップ部を有する衣類に関する。本発明の特徴に係る衣類は、バストを被覆する一対のカップ部と、一対のカップ部の下側に設けられ、前中心側の上端が着用者を押圧しないように、カップ部の前中心側上端近傍よりも低い高さ位置まで設けられる骨材と、骨材の前中心側の上端が上方に移動して着用者を押圧しないように、骨材の移動を規制する骨材規制部と、非伸縮ないし難伸縮部材で形成され、カップ部の前中心側の上端近傍から骨材の上端の高さ位置において、一対のカップ部の前中心側を接続する伸び止め部を備える。
【０００８】
伸び止め部は、骨材の上端の高さ位置よりも低い位置まで設けられ、骨材の一部と伸び止め部の一部は、高さ方向において重複して配設されても良い。
【０００９】
骨材の前中心側の上端が、バストトップとカップ部の下端の長さの２０％の長さ以上、バストトップの高さ位置から低い位置になるように、骨材規制部は、骨材の位置を規制しても良い。
【００１０】
骨材規制部は、カップ部の前中心側の上端よりも、１センチ以上低い高さ位置に、骨材の上端が位置するように規制しても良い。
【００１１】
カップ部の下側で骨材を収容し、カップ部の前中心側上端近傍の高さ位置まで延伸するカップ支持部をさらに有し、骨材規制部は、カップ支持部の短手方向を遮ることにより、骨材が所定位置よりも上方へ移動しないように規制しても良い。
【発明の効果】
【００１２】
本発明によれば、骨材による前中心近傍の違和感を軽減するブラジャーを提供することができる。
【図面の簡単な説明】
【００１３】
【図１】図１は、本発明の実施の形態に係るブラジャーを着用した状態を説明する図である。
【図２】図２は、本発明の実施の形態に係るブラジャーを平置きした状態を肌側から観察する図であって、前中心土台部において前中心肌側部を外し伸び止め部を露出した状態を説明する図である。
【図３】図３は、本発明の実施の形態に係るブラジャーの前中心土台部の断面を説明する図である。
【図４】図４は、本発明の実施の形態に係るブラジャーの骨材の位置を説明する図である（その１）。
【図５】図５は、本発明の実施の形態に係るブラジャーの骨材の位置を説明する図である（その２）。
【図６】図６は、本発明の実施の形態に係るブラジャーの骨材と伸び止め部の位置を説明する図であって、前中心土台部において前中心肌側部を外し伸び止め部を露出した状態を説明する図である。
【図７】図７は、変形例１に係るブラジャーの骨材と伸び止め部の位置を説明する図であって、前中心土台部において前中心肌側部を外し伸び止め部を露出した状態を説明する図である。
【発明を実施するための形態】
【００１４】
次に、図面を参照して、本発明の実施の形態を説明する。以下の図面の記載において、同一または類似の部分には同一または類似の符号を付している。
【００１５】
本発明の実施の形態に係る衣類は、ブラジャー、ボディースーツ、ブラスリップ、カップ付きタンクトップ、カップ付きキャミソールなどのバストを被覆するカップ部を有する衣類である。本発明の実施の形態においては、カップ部を有する衣類の一例として、ブラジャーの場合を説明する。
【００１６】
図１および図２に示すように、本発明の実施の形態に係るブラジャー１は、カップ部２、肩ストラップ部３、前中心土台部４、カップ支持部５、脇土台部６、バック部７、伸び止め部８および下辺テープ９を有する。カップ部２、肩ストラップ部３、カップ支持部５、脇土台部６およびバック部７は、左右一対に設けられ、前中心土台部４に対して左右対称に形成される。
【００１７】
図３に示すように前中心土台部４は、前中心土台表側部４１、前中心土台肌側部４２および前中心上辺テープ４３を備える。伸び止め部８は、前中心土台部４の前中心土台表側部４１および前中心土台肌側部４２の間に配設され、一対のカップ部２の前中心側を接続する。
【００１８】
なお、本発明の実施の形態においては、図３に示すように、伸び止め部８が、前中心土台部４の前中心土台表側部４１および前中心土台肌側部４２の間に内包される場合を説明するが、これに限らない。伸び止め部８が、ブラジャー１の肌側または表側において露出するように配設されても良い。また、前中心土台表側部４１は、主に装飾のために配設されるので、前中心土台部４において、前中心土台表側部４１が備えられなくても良い。
【００１９】
これらの各部材は、縫着などにより固定的に接続される。また前中心土台部４、脇土台部６およびバック部７の下端は、下辺テープ９により接続される。
【００２０】
下辺テープ９は、例えば、ニードルテープにより形成される。下辺テープ９は、例えば、伸度が１２０−１８０％程度であり、伸長回復力が５０−２３０ｃＮ程度の素材で形成される。伸度は、長さ１６センチの試験片を定速伸長形引張試験機に取り付け、長手方向に荷重１４．７Ｎをかけて測定されたものである。伸長回復力は、長さ１６センチの試験片を定速伸長形引張試験機に取り付け、３００ｍｍ／分程度の速度で長手方向の伸長回復を複数回繰り返し、伸び率が３０％に伸長および回復した際の荷重の平均である。
【００２１】
カップ部２は、バストを被覆し左右一対に設けられる。カップ部２は、それぞれ左右のバストを立体的に被覆する釣鐘形状を有する。本発明の実施の形態においてカップ部２は、上カップ部２１および下カップ部２２を備え、上カップ部２１および下カップ部２２は、接ぎ部２３によって接続されても良い。また下カップ部２２は、パッド挿入部２４が設けられ、パットを着脱可能に形成されても良い。
【００２２】
肩ストラップ部３は、伸縮性ないし難伸縮を有するように形成され、肩の稜線を経由してカップ部２とバック部７とを接続し、カップ部２を肩の稜線から引っ張り上げる構成とされる。なお、肩ストラップ部３は、一部に非伸縮性素材を含んでいても全体として伸縮性もしくは難伸縮性を有するように形成されればよい。また肩ストラップ部３は、カップ部２を肩の稜線から持ち上げることを可能とする長さになるように、エイト鐶（図示せず）などにより調節可能に形成される。
【００２３】
前中心土台部４は、カップ支持部５を介して左右一対のカップ部２を接続する。伸び止め部８は、前中心土台部４の前中心土台表側部４１および前中心土台肌側部４２の間に配設され伸び止め部８が露出しないので、伸び止め部８の下端が肌に触ることがなく、肌触りに影響をあたえないように形成される。前中心土台表側部４１に、シフォンやレース等の装飾性が高く柔らかい素材が用いられても良い。前中心土台表側部４１は、例えば、左右方向の伸度が５−１８０％程度の素材で形成される。前中心土台肌側部４２は、マーキゼット等の伸び止め部８よりも伸長しやすい素材で形成される。
【００２４】
前中心土台部４は、図３に示すように、表側から、前中心土台表側部４１、伸び止め部８および前中心土台肌側部４２の順で重ねられ、前中心土台部４の上端位置で肌側に折り返される。さらに、折り返し位置で、前中心土台表側部４１、伸び止め部８、前中心土台肌側部４２および前中心上辺テープ４３が、縫着などにより固着される。前中心上辺テープ４３は、カップ部２の上端に配設されるテープ部材に連結されても良い。また前中心上辺テープ４３は、前中心土台部４の上端をくるんで、固着されても良い。
【００２５】
カップ支持部５は、カップ部２の下縁のバージスラインに沿って設けられる。カップ支持部５の内側に、バージスラインに沿う形状の骨材Ｗが収容される。骨材Ｗは、金属、プラスチック合成樹脂などの剛性の高い部材で形成される。骨材Ｗは、バストを、脇側ないし下側から支え、バストの下垂を支えたり、バストの脇側への横流れを防止したりする。
【００２６】
脇土台部６は、カップ支持部５の両脇側に設けられ、脇土台部６の両脇端に、一対のバック部７がそれぞれ接続される。一対のバック部７の他端は、ホックのオスおよびメスなどの係止部７１ａおよび７１ｂが設けられ、背中心近辺で、着脱可能な構成とされる。
【００２７】
（カップ支持部）
本発明の実施の形態に係るカップ支持部５は、カップ部２の下側で骨材Ｗを収容し、カップ部２の前中心側上端近傍の高さ位置まで延伸する。カップ支持部５は、カップ部２の下縁の形状に沿う略「Ｕ」字形状のテープ状部材で、カップ部２、前中心土台部４、脇土台部６および下辺テープ９を肌側から接続して形成される。図２に示すように、カップ部２の前中心側の上端と、前中心土台部４の上端と、カップ支持部５の前中心側の上端とが、合流するように形成される。
【００２８】
図２において、カップ支持部５に収容された骨材Ｗを破線で記載する。骨材Ｗは、カップ支持部５を形成するテープ部材と、カップ部２、前中心土台部４および脇土台部６との間に、収容される。
【００２９】
本発明の実施の形態において骨材Ｗは、略「Ｊ」字形状を有し、一対のカップ部２の下側にそれぞれ設けられ、前中心側の上端が着用者を押圧しないように、カップ部２の前中心側上端近傍よりも低い高さ位置まで設けられる。骨材Ｗは、脇側において、カップ部２および前中心土台部４の上端近傍まで延伸するように形成される。一方骨材Ｗの前中心近傍の高さは、カップ部２の前中心側上端近傍よりも控えられて（低く形成されて）、カップ支持部５の上端近傍まで骨材Ｗが届かず、カップ支持部５の上端近傍で芯がなく柔軟に形成される。
【００３０】
本発明の実施の形態に係る骨材Ｗは、カップ部２の脇側から下端を通り、前中心側において立ち上がりを有するように形成される。骨材Ｗが前中心側において立ち上がりを有することにより、前中心側においてバストを下から支えることができ、バストの保形に寄与することができる。カップ部２が、図１および図２に示すように上カップ部２１および下カップ部２２を備える場合、一実施例において、骨材Ｗの前中心側の上端は、少なくとも、上カップ部２１および下カップ部２２の接ぎ部２３の高さ位置近傍まで延伸するように形成される。
【００３１】
また本発明の実施の形態において、カップ支持部５に骨材規制部Ｐが設けられる。骨材規制部Ｐは、骨材Ｗの前中心側の上端が上方に移動して着用者を押圧しないように、骨材Ｗの移動を規制する。本発明の実施の形態において骨材規制部Ｐは、例えば縫い止めであって、図１および図２に示すように、筒状に形成されるカップ支持部５において、筒状の所定位置を縫着等により閉じて、カップ支持部５の短手方向を遮る。これにより、骨材規制部Ｐは、骨材Ｗが所定位置（骨材規制部Ｐの位置）よりも上方へ移動しないように規制する。
【００３２】
骨材規制部Ｐは、骨材Ｗの前中心側の上端が上方に移動して着用者を押圧しないように、カップ支持部５の前身頃側の上端の縫い代よりも低い位置に骨材Ｗの上端が位置するように規制する。骨材規制部Ｐは、例えば、ブラジャー１を着用した状態を、前頭面に投影した状態において、骨材Ｗの前中心側の上端が、バストトップとカップ部２の下端の長さの２０％の長さ以上、バストトップの高さ位置から低い位置になるように、骨材規制部Ｐは、骨材Ｗの位置を規制する。
【００３３】
本発明の実施の形態に示すように、骨材規制部Ｐが、カップ支持部５の縫い止めである場合、図４に示すように、バストトップとカップ部２の下端との垂直方向の長さをＬとすると、バストトップと骨材規制部Ｐの垂直方向の長さＬ１は、Ｌ１＝Ｌ×２０％以上となる。またカップ部２の下端と骨材規制部Ｐの垂直方向の長さＬ２は、バストトップと骨材規制部Ｐの垂直方向の長さＬの１／４以上となる。ここで、カップ支持部５内で骨材Ｗが、１〜５ミリ程度、移動可能なゆとりがあるように形成されても良い。図４に示す長さＬ、Ｌ１およびＬ２は、ブラジャー１を着用した状態を、前頭面に投影した状態で計測される。
【００３４】
或いは骨材規制部Ｐは、カップ部２の前中心側の上端よりも、１センチ以上低い高さ位置に、骨材Ｗの上端が位置するように規制しても良い。具体的には、図５に示すように、カップ部２の前中心側の上端と骨材規制部Ｐとの垂直方向の長さＬ３は、１センチ以上となる。
【００３５】
発明者らの知見によると、カップ支持部５の上端まで到達する一般的な骨材を用いる場合、骨材は剛性を有するので、その先端が着用者に当たると圧迫されるような違和感を覚え不快に感じる。またカップ支持部５の上端は、複数の生地が縫い合わされて固く形成される場合があるので、骨材の先端がカップ支持部５の上端を押して着用者に当接することで、着用者は、前中心近傍において、骨材が突き刺さるような違和感を覚え不快に感じる。これに対し、本発明の実施の形態において、骨材Ｗの上端がカップ部２の前中心側上端近傍よりも低く配設されるので、カップ支持部５の上端を介して、骨材Ｗが着用者を押圧する状態を回避することができる。この結果、着用者に前中心近傍における違和感を与えにくくすることができる。
【００３６】
（伸び止め部）
図２に示すように、ブラジャー１は、一対のカップ部２の前中心側を接続する伸び止め部８を備える。伸び止め部８は、一対のカップ部２に接続する一対のカップ支持部５を介して、一対のカップ部２の前中心側を接続しても良い。本発明の実施の形態に係る骨材Ｗは、カップ部２の前中心側上端近傍よりも高さが控えられ、骨材Ｗによる下側からのバストの支えはあるものの、前中心側からのバストの支えに欠ける。そこで、本発明の実施の形態に係るブラジャー１に、前中心近傍において伸び止め部８を配設することにより、前中心からのバストの支えを付加する。
【００３７】
伸び止め部８は、例えばマーキゼット等の骨材Ｗよりも柔らかく、左右方向に非伸縮ないし難伸縮部材で形成される。伸び止め部８は、少なくとも、カップ部２の前中心側の上端近傍から骨材Ｗの上端の高さ位置に配設される。本発明の実施の形態に係る伸び止め部８は、図２等に示すように、骨材Ｗの上端の高さ位置よりも低い位置まで設けられ、骨材Ｗの一部と伸び止め部８の一部は、高さ方向において重複して配設されるように形成される。
【００３８】
本発明の実施の形態において、骨材Ｗがカップ部２の前中心側の上端まで延伸しない一方、骨材Ｗが欠ける高さ方向の位置に伸び止め部８が設けられ、骨材Ｗの一部と伸び止め部８の一部は、高さ方向において重複して配設される。骨材Ｗおよび伸び止め部８により、カップ部２をつなぐ前中心近傍が安定して着用者の肌に沿い、カップ部２がバスト全体を適切に被覆することを可能にする。
【００３９】
ここで、一般的なブラジャーにおいて、骨材は、略「Ｕ」字形状を有し、バストの下半分のバージスラインに沿って設けられるので、骨材は、バストの下半分を約１８０度の方向から囲んで支えることが可能になる。従って、バック部が、カップ部およびカップ支持部を左右に引いた場合でも、骨材がバストのバージスラインにフィットし、カップ部をバストに沿わせて保形することが可能になる。
【００４０】
一方、本発明の実施の形態に係る骨材Ｗは、カップ部２の前中心側の上端まで延伸しないので、一般的なブラジャーと比べて、前中心側からバストを支えるパワーが不足する場合がある。従って、バック部７が、カップ部２およびカップ支持部５を左右に引いた際、骨材Ｗは、左右方向に引っ張られ、バストのバージスラインよりも左右方向に広がって変形する。ここで、下辺テープ９は、緊締力を有するので、下辺テープ９近傍は着用者に沿う一方、カップ部２の前中心上端近傍が着用者から浮くので、着用者は、下辺テープ９近傍において強い圧迫を感じ、前中心近傍においてカップ部２および前中心土台部４が着用者にフィットしない。これにより、バストを適切に保形することができず、下辺テープ９近傍が強く圧迫され着用者が違和感を覚える場合がある。また前中心近傍における骨材Ｗによるバストの被りが浅く、前中心土台部４がバストのバージスラインに沿わないので、バストの谷間が強調されすぎたりする場合もある。
【００４１】
そこで、本発明の実施の形態において、前中心土台部４の上方に伸び止め部８が形成される。伸び止め部８は、バック部７の左右方向の引っ張りに抵抗して、カップ部２およびカップ支持部５を引き離さないので、前中心土台部４が、着用者の肌に沿い、さらに、骨材Ｗの左右方向への広がりを抑制する。これにより、前中心土台部４ないしカップ部２全体において着用者に適切にフィットして、カップ部２の前中心側の上端まで延伸しない骨材Ｗを用いた場合でも、バストを適切に保形することが可能になる。また骨材Ｗが控えられる代わりに伸び止め部８がバストの被りを補うので、適切にバストを保護することができる。
【００４２】
図６を参照して、ブラジャー１の前中心近傍の肌側を説明する。本発明の実施の形態において、伸び止め部８は、骨材Ｗと伸び止め部８とが、高さ方向において一部重複して配設される。その結果、前中心近傍領域を、高さ方向において、伸び止め部８のみが設けられるエリアＡ１ａ、伸び止め部８および骨材Ｗが重複して設けられるエリアＡ１ｂおよび骨材Ｗのみが設けられるエリアＡ１ｃに分けることができる。
【００４３】
図６において、エリアＡ１ａ、Ａ１ｂ、およびエリアＡ１ｃにおけるパワーは、Ａ１ｂ＞Ａ１ｃ＞Ａ１ａとなる。前中心における上端や下端にかかるパワーが中間位置よりも少ないので、骨材Ｗの圧迫を軽減可能で、着用者は、骨材Ｗの先端が肌に当たる違和感、または、下辺テープ９のみが強く肌に当たる違和感を、覚えにくい。なお、エリアＡ１ａ、Ａ１ｂ、およびエリアＡ１ｃにおけるパワーが、Ａ１ｂ＞Ａ１ｃ＝Ａ１ａとなるように形成された場合でも、同様の効果を得ることができる。
【００４４】
なお、図６に示す例において、エリアＡ１ａ、エリアＡ１ｂ、およびエリアＡ１ｃの高さは、概ね２：１：２程度であるが、これに限られない。例えば、各エリアの高さは、ブラジャー１のデザイン、骨材Ｗの剛性および伸び止め部８の部材によって、適宜設定される。
【００４５】
このような本発明の実施の形態に係るブラジャー１を、各サイズの着用者に着用させ、骨材（ワイヤー）が前中心上端まで延伸する一般的なブラジャーとの着心地について、アンケートを取った。その結果、各サイズの着用者の２／３以上から、「前中心上辺の圧迫感が軽減されていると感じる」との回答が得られた。また、各サイズの着用者の２／３以上から、「前中心下辺の圧迫感が軽減されていると感じる」との回答が得られた。また全ての着用者から、「カップの造形性が、(骨材が前中心上端まで延伸する一般的なブラジャーと)同程度あると感じる」との回答が得られた。さらに、各モニターが各サイズのブラジャーを着用後、腕回し等の軽い動作をした後、前中心付近の着用感を尋ねたところ、「浮きも無くフィットする」、「前中心のワイヤーあたりが気にならない」などの感想が得られた。
【００４６】
このように、本発明の実施の形態に係るブラジャー１を着用した各モニターから、前中心近傍の違和感を軽減する効果が得られること、さらに骨材が前中心上端まで延伸する一般的なブラジャーと同程度の造形性を実現できる効果が得られることが確認された。
【００４７】
このように、本発明の実施の形態に係るブラジャー１において、骨材Ｗの上端が前中心土台部４およびカップ部２の前中心側の上端近傍よりも低く配設され、前中心土台部４の上方に、骨材Ｗよりも柔らかく、かつ左右方向に伸縮しにくい伸び止め部８が形成される。骨材Ｗの上端が、カップ支持部５の上端を介して着用者に当接するのを回避し、伸び止め部８が前中心土台部４の上端近傍の変形を防ぎ、前中心土台部４を肌に密接させるので、骨材Ｗによる違和感を回避して、かつバストを適切に保護することができる。
【００４８】
（変形例１）
本発明の実施の形態において、骨材Ｗの一部と伸び止め部８の一部は、高さ方向において重複して配設される場合を説明したが、これに限られない。伸び止め部８は、例えば図７に示すように、カップ部２の前中心側の上端近傍から骨材Ｗの上端の高さ位置に配設され、骨材Ｗの一部と伸び止め部８の一部は、高さ方向において重複しないように形成されても良い。
【００４９】
図７に示すように、変形例１に係るブラジャー１ａの前中心近傍領域を、伸び止め部８のみが設けられるエリアＡ２ａ、および骨材Ｗのみが設けられるエリアＡ２ｃに分けることができる。
【００５０】
図７において、エリアＡ２ａおよびエリアＡ２ｃにおけるパワーは、Ａ２ａ≒Ａ２ｃとなる。ここで、エリアＡ２ｃにおいては、骨材Ｗにより局所的にパワーが与えられるのに対し、エリアＡ２ａにおいては、伸び止め部８により広いエリアで骨材Ｗよりも緩やかなパワーが与えられる。従って、骨材がカップ支持部５上端近傍まで延伸する一般的なブラジャーの場合と比べて、変形例１に係るブラジャー１ａは、カップ支持部５上端近傍における着用者の肌当たりが良く、着用者は、骨材Ｗによる違和感を覚えにくい。
【００５１】
ここで、伸び止め部８がカップ支持部５の前中心側の上端から下辺テープ９まで配設される場合、下辺テープ９近傍におけるパワーが強すぎて、下辺テープ９近傍において強い圧迫を感じる場合がある。従って、伸び止め部８は、下辺テープ９まで延伸されず、伸び止め部８の下端と下辺テープ９の上端とに隙間が設けられるのが好ましい。
【００５２】
なお、図７に示す例において、エリアＡ２ａおよびエリアＡ２ｃの高さは、概ね２：３程度であるが、これに限られない。例えば、各エリアの高さは、ブラジャー１ａのデザイン、骨材Ｗの剛性および伸び止め部８の部材によって、適宜設定される。
【００５３】
（変形例２）
本発明の実施の形態に係るブラジャー１において、カップ支持部５の短手方向を遮ることにより、骨材規制部Ｐが形成される場合を説明したが、これに限らない。例えば、骨材規制部Ｐは、骨材Ｗとカップ支持部５、骨材Ｗとカップ部２、または骨材Ｗと前中心土台部４の固着部であっても良い。骨材規制部Ｐは、縫着または接着等で、骨材Ｗがカップ支持部５等に固着されることにより、骨材Ｗが所定位置よりも上方へ移動しないように規制しても良い。
【００５４】
（その他の実施の形態）
上記のように、本発明の実施の形態とその変形例１ないし２によって記載したが、この開示の一部をなす論述および図面はこの発明を限定するものであると理解すべきではない。この開示から当業者には様々な代替実施の形態、実施例および運用技術が明らかとなる。
【００５５】
本発明の実施の形態に係るブラジャー１は、肩ストラップ部３を備える場合を説明したが、肩ストラップ部３を備えないストラップレスのブラジャーについても適用することができる。また本発明の実施の形態に係るブラジャー１は、係止部７１ａおよび７１ｂが設けられ、背中心近辺で、着脱可能な場合を説明したが、係止部７１ａおよび７１ｂを備えずに、脇土台部６の両脇を一つのバック部が接続し円形状に形成されたブラジャーについても適用することができる。
【００５６】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００５７】
１  ブラジャー
２  カップ部
３  肩ストラップ部
４  前中心土台部
５  カップ支持部
６  脇土台部
７  バック部
８  伸び止め部
９  下辺テープ
２１  上カップ部
２２  下カップ部
２３  接ぎ部
２４  パッド挿入部
４１  前中心土台表側部
４２  前中心土台肌側部
４３  前中心上辺テープ
Ｐ  骨材規制部
Ｗ  骨材
【図１】
2018178295.tif 000003
【図２】
2018178295.tif 000004
【図３】
2018178295.tif 000005
【図４】
2018178295.tif 000006
【図５】
2018178295.tif 000007
【図６】
2018178295.tif 000008
【図７】
2018178295.tif 000009